(57)【要約】  コア材料層（１４０）及びそれに積層された少なくとも１つのポリマー層（１４２、１４５、１４７）を含む包装材料（１００）が提供される。コア材料層（１４０）は、形成される包装容器（１０）の底端コーナー（ＰＣ１、ＰＣ２、ＰＣ３、ＰＣ４）に包装材料（１００）を折り曲げるのを補助するように構成された少なくとも１つの領域（Ｃ１、Ｃ２、Ｃ３、Ｃ４）を備え、包装材料（１００）は、包装容器（１０）の底端（ＢＰ）を形成するように設計された折り目線の第１のセット（１３２）と、包装容器（１０）の主要本体（ＭＢ）を形成するように設計された折り目線の第２のセット（１３４）とを含む。少なくとも１つの領域（Ｃ１、Ｃ２、Ｃ３、Ｃ４）は、それぞれが三角形の断面を有する複数の折り目線（ＢＣ、ＬＣＢ）の交差点（ＩＸ）を含み、一方、それぞれが三角形の断面を有し且つ前記交差点（ＩＸ）を通る仮想延長部を有する折り目線の第１のセット（１３２）の複数の折り目線（ＬＣＣ、ＤＣ、ＢＣ’）は、それらが前記交差点（ＩＸ）から距離（Ｄ）をとって終了するように終端される。【選択図】  図４ａ
2021531214.tif 000002
【特許請求の範囲】
【請求項１】
コア材料層（１４０）及びそれに積層された少なくとも１つのポリマー層（１４２、１４５、１４７）を含む包装材料（１００）であって、
前記コア材料層（１４０）は、形成される包装容器（１０）の底端コーナー（ＰＣ１、ＰＣ２、ＰＣ３、ＰＣ４）に前記包装材料（１００）を折り曲げるのを補助するように構成された少なくとも１つの領域（Ｃ１〜Ｃ４）を備え、
前記包装材料（１００）は、前記包装容器（１０）の底端（ＢＰ）を形成するように設計された折り目線の第１のセット（１３２）と、前記包装容器（１０）の主要本体（ＭＢ）を形成するように設計された折り目線の第２のセット（１３４）とを含み、
前記少なくとも１つの領域（Ｃ１、Ｃ２、Ｃ３、Ｃ４）は、それぞれが三角形の断面を有する複数の折り目線（ＢＣ、ＬＣＢ）の交差点（ＩＸ）を含み、一方、それぞれが三角形の断面を有し且つ前記交差点（ＩＸ）を通る仮想延長部を有する折り目線の第１のセット（１３２）の複数の折り目線（ＬＣＣ、ＤＣ、ＢＣ’）は、それらが前記交差点（ＩＸ）から距離（Ｄ）をとって終了するように終端されることを特徴とする、包装材料（１００）。
【請求項２】
前記折り目線の第１のセット（１３２）の終端された折り目線（ＬＣＣ）の仮想延長部が、前記折り目線の第２のセット（１３４）の１つの交差する折り目線（ＬＣＢ）と実質的に一致する、請求項１に記載の包装材料。
【請求項３】
前記少なくとも１つの領域（Ｃ１、Ｃ２、Ｃ３、Ｃ４）の前記終端された折り目線（ＬＣＣ、ＤＣ、ＢＣ’）が、１つの横方向折り目線（ＢＣ’）と、１つの長手方向折り目線（ＬＣＣ）と、１つの斜めの折り目線（ＤＣ）とを含む、請求項１又は２に記載の包装材料。
【請求項４】
前記交差する折り目線（ＢＣ、ＬＣＢ）が互いに垂直に配置される、請求項１〜３のいずれか一項に記載の包装材料。
【請求項５】
前記距離（Ｄ）が１〜１０ｍｍ、例えば１．５〜５ｍｍ、好ましくは１．５〜３ｍｍである、請求項１〜４のいずれか一項に記載の包装材料。
【請求項６】
包装容器（１０）の２つの後部底部コーナー（ＰＣ１、ＰＣ４）を形成するように構成された２つの領域（Ｃ１、Ｃ４）を含み、各領域（Ｃ１、Ｃ４）が、それぞれが三角形の断面を有する複数の折り目線（ＢＣ、ＬＣＢ）の交差点（ＩＸ）を含み、一方、それぞれが三角形の断面を有し且つ前記交差点（ＩＸ）を通る仮想延長部を有する、前記折り目線の第１のセット（１３２）の複数の折り目線（ＬＣＣ、ＤＣ、ＢＣ’）は、それらが前記交差点（ＩＸ）から距離（Ｄ）をとって終了するように終端される、請求項１〜５のいずれか一項に記載の包装材料。
【請求項７】
前記領域（Ｃ１、Ｃ４）が、長手方向のシール領域（ＬＳＡ）の反対側に配置された底部コーナー（ＰＣ１、ＰＣ４）を形成するように構成される、請求項６に記載の包装材料。
【請求項８】
包装容器（１０）の４つの底部コーナー（ＰＣ１、ＰＣ２、ＰＣ３、ＰＣ４）を形成するように構成された４つの領域（Ｃ１、Ｃ２、Ｃ３、Ｃ４）を含み、各領域（Ｃ１、Ｃ２、Ｃ３、Ｃ４）は、それぞれが三角形の断面を有する複数の折り目線（ＢＣ、ＬＣＢ）の交差点（ＩＸ）を含み、一方、それぞれが三角形の断面を有し且つ前記交差点（ＩＸ）を通る仮想延長部を有する、折り目線の前記第１のセット（１３２）の複数の折り目線（ＬＣＣ、ＤＣ、ＢＣ’）は、それらが前記交差点（ＩＸ）から距離（Ｄ）をとって終了するように終端される、請求項１〜７のいずれか一項に記載の包装材料。
【請求項９】
前記三角形の折り目線（ＢＣ、ＬＣＢ、ＬＣＣ、ＤＣ、ＢＣ’）の断面が非対称である、請求項１〜８のいずれか一項に記載の包装材料。
【請求項１０】
包装材料（１００）をシール及び成形することによって製造される包装容器（１０）であって、前記包装容器（１０）は、関連する領域（Ｃ１、Ｃ２、Ｃ３、Ｃ４）で包装容器材料（１００）を折り曲げることによって形成される少なくとも１つの底部コーナー（ＰＣ１、ＰＣ２、ＰＣ３、ＰＣ４）を含み、
前記少なくとも１つの底部コーナー（ＰＣ１、ＰＣ２、ＰＣ３、ＰＣ４）は、それぞれが三角形の断面を有する複数の折り目線（ＢＣ、ＬＣＢ）の交差点（ＩＸ）によって確定され、一方、それぞれが三角形の断面を有し且つ前記交差点（ＩＸ）を通る仮想延長部を有する複数の折り目線（ＬＣＣ、ＤＣ、ＢＣ’）は、それらが前記交差点（ＩＸ）から距離（Ｄ）をとって終了するように終端されることを特徴とする包装容器（１０）。
【請求項１１】
包装材料を製造するための方法であって、
形成される包装容器（１０）の底端コーナー（ＰＣ１、ＰＣ２、ＰＣ３、ＰＣ４）に前記包装材料（１００）を折り曲げるのを補助するように構成された少なくとも１つの領域（Ｃ１、Ｃ２、Ｃ３、Ｃ４）をコア材料層（１４０）に提供すること、及び、
前記包装容器（１０）の底端（ＴＰ）を形成するように設計された折り目線の第１のセット（１３２）及び前記包装容器（１０）の主要本体（ＭＢ）を形成するように設計された折り目線の第２のセット（１３４）を提供することを含み、その結果、前記少なくとも１つの領域（Ｃ１、Ｃ２、Ｃ３、Ｃ４）は、それぞれが三角形の断面を有する複数の折り目線（ＢＣ、ＬＣＢ）の交差点（ＩＸ）を含み、一方、それぞれが三角形の断面を有し且つ前記交差点（ＩＸ）を通る仮想延長部を有する折り目線の前記第１のセット（１３４）の複数の折り目線（ＬＣＣ、ＤＣ、ＢＣ’）は、それらが前記交差点（ＩＸ）から距離（Ｄ）をとって終了するように終端される、方法。
【請求項１２】
包装材料（１００）のコア材料層（１４０）に折り目線（１３０）を提供するためのプレスツール（２００）のプレート（２２０）であり、形成される包装容器（１０）の底部コーナー（ＰＣ１、ＰＣ２、ＰＣ３、ＰＣ４）に前記包装材料（１００）を折り曲げるのを補助する折り目線（ＢＣ、ＬＣＣ、ＤＣ、ＬＣＢ）を提供するように構成された少なくとも１つの領域（Ｐ１、Ｐ２、Ｐ３、Ｐ４）を含むプレート（２２０）であって、
前記少なくとも１つの領域（Ｐ１〜Ｐ４）が、それぞれが三角形の断面を有する複数の隆起（ＰＢＣ、ＰＬＣＢ）の交差点交差点（ＰＩＸ）を含み、一方、それぞれが三角形の断面を有し且つ前記交差点（ＰＩＸ）を通る仮想延長部を有する折り目線の前記第１のセット（１３４）の複数の隆起（ＰＬＣＣ、ＰＤＣ、ＰＢＣ’）は、それらが前記交差点（ＰＩＸ）から距離（Ｄ）をとって終了するように終端されることを特徴とするプレート（２２０）。
【請求項１３】
前記交差点（ＰＩＸ）における前記隆起（ＰＢＣ、ＰＬＣＢ）の全高は、前記交差点（ＰＩＸ）から離れた単一の隆起（ＰＢＣ、ＰＬＣＢ、ＰＬＣＣ、ＰＤＣ、ＰＢＣ’）の高さとほぼ同じである、請求項１２に記載のプレート（２２０）。
【請求項１４】
前記交差点における前記隆起（ＰＢＣ、ＰＬＣＢ）の全高が１〜２ｍｍ、好ましくは１〜１．５ｍｍである、請求項１３に記載のプレート。
【請求項１５】
前記三角形の隆起（ＰＢＣ、ＰＬＣＢ、ＰＬＣＣ；ＰＤＣ、ＰＢＣ’）の断面が非対称である、請求項１２〜１４のいずれか一項に記載のプレート。
【発明の詳細な説明】
【技術分野】
【０００１】
本発明は包装材料を製造するための方法、特に液体食品を貯蔵することができる個々の包装容器を形成するのに適した包装材料を製造するための方法に関する。
【背景技術】
【０００２】
液体食品を貯蔵するための包装容器が市場に存在しており、充填機はそのような食品包装容器を非常に高速で製造することを可能にする。１つの十分に確立された原理によれば、包装容器の連続シーケンスは、包装材料の流れるウェブの長手方向の端部を互いにシールすることによって、当該ウェブをチューブに形成することによって製造される。包装容器によって貯蔵される液体内容物でチューブが連続的に充填されるにつれて、横方向のシール形成がチューブ内の液体レベルの直ぐ下で実行される。１回のシール形成動作において、２つのシール、すなわち、先行包装容器の上端シール、及び直ぐ後に続く包装容器の底端シールが実際に同時に作られる。シール形成動作が完了すると、上端シールと底端シールとの間の領域でチューブを横方向に切断するためにナイフが作動され、これにより、先行する（且つ現在はシールされている）包装容器を上流のチューブから分離する。或いは、同様の包装容器を、積層包装材料の事前にカットされたブランク又はシートから作製することができ、事前にカットされたブランク又はシートは折り曲げられ、長手方向にシールされて管状カプセルにされ、次いで、第１の端部で折れ曲がりを形成され、段階的な充填工程において、充填され他端部でシールされる。
【０００３】
包装材料には折り目線が提供される。これらの折り目線により、折り目線の正確な配置によって規定される特定の位置で包装材料を折ることが可能になる。通常、折り目線は包装材料のコア材料層に提供され、その後、コア材料層の内側及び外側の層を形成するために包装材料をさらに積層する。この目的のために、通常、プレスローラなどのプレスツールが使用され、プレスツールの作業面は、いくつかの突出した隆起を有する。これらの隆起がコア材料層に押し込まれると、折り目線が形成される。
【０００４】
したがって、折り目線はコア材料層の線形の変形であり、これにより、包装容器を折り目線の特定の位置で折ることができる。特に、事前に配置された折り目線に沿って包装材料を折ることによって形成される三次元直方体包装容器の場合、いくつかの領域は、形成の難易度の上昇に関連付けられる。積層の製造中だけでなく、充填機の速度の観点からも、より高い折り曲げ及びヒートシール速度を同じく必要とする機械速度が上昇するにつれて、形成の難易度も上がる。
【０００５】
改良された折り目線、及びそのような折り目線の製造方法は、同じ出願人による国際公開第２０１５／１９３３５８号パンフレットに記載されている。それでも、折り曲げと形成の観点で難易度の上昇に関連付けられる１つの領域は、包装容器の底端部、特に底端部のコーナーである。コーナーの形成は、実際には、上記の従来技術の参考文献で扱われ、折り目線がコーナーで交差している場合に、コーナーの折り曲げの改善がどのように可能になるかを記載している。
【０００６】
上記の開示は、正確に成形された底部のコーナーを提供する以前の試みに比べて洗練された改善を提供するが、所望の形状への包装容器の成形及び形成をさらに改善するための永続的な努力が存在する。
【０００７】
したがって、改善された包装材料が必要である。
【発明の概要】
【発明が解決しようとする課題】
【０００８】
本発明の目的は、先行技術の上記で特定された制限の１つ又は複数を少なくとも部分的に克服することである。特に、底部コーナーの明確な折り曲げ及び形成を可能にする包装材料を提供することが目的である。
【課題を解決するための手段】
【０００９】
これらの目的を解決するために、包装材料が提供される。包装材料は、コア材料層及びそれに積層された少なくとも１つのポリマー層を含み、コア材料層は、形成される包装容器の底端コーナーに包装材料を折り曲げるのを補助するように構成された少なくとも１つの領域を備えている。包装材料は、包装容器の底端を形成するように設計された折り目線の第１のセットと、包装容器の主要本体を形成するように設計された折り目線の第２のセットとを含む。少なくとも１つの領域は、それぞれが三角形の断面を有する複数の折り目線の交差点を含み、一方、それぞれが三角形の断面を有し且つ前記交差点を通る仮想延長部を有する折り目線の第１のセットの複数の折り目線は、それらが前記交差点から距離をとって終了するように終端される。
【００１０】
それぞれの領域での折り目線の分布と折り目線の三角形の断面の組み合わせにより、非常に明確なコーナーの折り曲げが実現される。この理由は２つある。第１に、折り目線の三角形の断面は、折り曲げ中に狭く明確な単一の回転軸を保証し、これにより、実際の折り曲げは、隆起の頂点が包装材料に押し込まれて折り目線を形成する位置で正確に行われる。第２に、コーナーの折り曲げは通常、充填機の折り曲げガイドが所定の運動曲線に沿って動くことを可能にすることによって達成され、これらの運動曲線は、カム曲線の構成によって決定される。これは、折り曲げガイドの完全な直線運動はないが、代わりに、これらは包装容器の長手方向運動の間に湾曲した経路をたどることを意味する。包装容器フラップの折り曲げは折り曲げガイドの現在の位置によって案内されるため、折り曲げシーケンス中に正確なコーナー位置がずれる可能性がある。本発明者らは、充填機のこの構成を考慮して、交差点に到達するわずか前にいくつかの折り目線を終端する一方、他の折り目線を交差点で実際に交わらせることにより、折り曲げ中に最終的な折り曲げが達成されるまで正確なコーナー位置が浮くことを可能にすることを実現した。この最後のステップで、コーナー折り曲げの完全な整列が行われる。
【００１１】
折り目線の第１のセットの打ち切られた終端された折り目線の仮想延長部は、折り目線の第２のセットの１つの交差する折り目線と一致し得るか、又は実質的に一致し得る。したがって、コーナー領域は包装容器の長方形の形状を定める。
【００１２】
一実施形態では、折り目線の第１のセットの終端された長手方向の折り目線の仮想延長部は、折り目線の第２のセットの交差する長手方向の折り目線から、０．３〜０．５ｍｍオフセットされ得る。さらなる実施形態では、折り目線の第１のセットの終端された横方向の折り目線の仮想延長部は、折り目線の第１のセットの交差する横方向の折り目線から、０．３〜０．５ｍｍオフセットされ得る。少なくとも１つの領域の終端された折り目線は、１つの横方向の折り目線と、１つの長手方向の折り目線と、１つの斜めの折り目線とを含み得る。これにより、底部フラップの改善された折り曲げが可能になる。
【００１３】
交差する折り目線は互いに垂直に配置することができ、これにより、結果として得られる包装容器の長方形の底端が可能になる。
【００１４】
距離は、１〜１０ｍｍの範囲、例えば、１．５〜５ｍｍ、好ましくは１．５〜３ｍｍの範囲であり得る。これにより、包装容器のコーナー成形に関して非常に有益な結果をもたらすことが証明されている。
【００１５】
包装材料は、包装容器の２つの後部底部コーナーを形成するように構成された２つの領域を含んでもよく、各領域は、それぞれが三角形の断面を有する複数の折り目線の交差点を含む。それぞれが三角形の断面を有し且つ前記交差点を通る仮想延長部を有する、折り目線の第１のセットの複数の折り目線は、それらが前記交差点から距離をとって終了するように終端される。２つの後部底部コーナーは、本明細書に記載の第１の態様に従って成形された領域を折り曲げることによって形成されるため、特にテトラ・ブリック（登録商標）アセプティックエッジタイプの包装容器の場合、底部全体の改善された成形を可能にする。
【００１６】
これらの領域は、長手方向のシール領域の反対側に配置された後部底部コーナーを形成するように構成することができる。
【００１７】
包装材料は、包装容器の４つの底部コーナーを形成するように構成された４つの領域を含んでもよく、各領域は、それぞれが三角形の断面を有する複数の折り目線の交差点を含む。それぞれが三角形の断面を有し且つ前記交差点を通る仮想延長部を有する、折り目線の第１のセットの複数の折り目線は、それらが前記交差点から距離をとって終了するように終端される。本明細書に記載の第１の態様に従って構成された領域の折り曲げによって４つのコーナーすべてが形成されるこのような構成は、テトラ・ブリック（登録商標）アセプティックタイプの包装容器にとって特に有利であることが証明されている。
【００１８】
三角形の折り目線の断面は非対称であってもよい。このような非対称構成には、いくつかの利点がある。例えば、それは、折り目線を提供するために使用されるプレスプレートの隆起のインプリント部分の側壁の位置に対応する位置で、包装材料にせん断破壊開始の１つの重要なゾーンを作り出す。隆起の非対称のインプリント部分を有することにより、せん断破壊開始が顕著に発生する１つの特に明確な領域が存在し、これは折り曲げ時に非常に明確な破壊をもたらす。プレスツールを作動することにより、加えられた力は、プレスプレートに面する包装材料の表面に下向きの応力を引き起こす。対称的なインプリント部分を使用した場合、同様の効果が見られる。すなわち、１つの焦点を合わせて確定された破壊開始ゾーンが明らかになる。しかしながら、包装材料への対称的なインプリントはより厳密になり、この方法は、プレスの対称的な三角形の隆起によって材料を単純に切断することを避けるために、狭い操作ウィンドウ内で制御することが重要である。したがって、非対称の折り目隆起は、より明確な折り目を提供し、より強固な折り目付け作業を可能にする。
【００１９】
第２の態様によれば、包装材料をシール及び成形することによって製造される包装容器が提供される。包装容器は、関連する領域で包装容器材料を折り曲げることによって形成される少なくとも１つの底部コーナーを含む。少なくとも１つの底部コーナーは、それぞれが三角形の断面を有する複数の折り目線の交差点によって確定され、一方、それぞれが三角形の断面を有し且つ前記交差点を通る仮想延長部を有する複数の折り目線は、それらが前記交差点から距離をとって終了するように終端される。
【００２０】
第３の態様によれば、包装材料を製造するための方法が提供される。この方法は、形成される包装容器の底端コーナーに包装材料を折り曲げるのを補助するように構成された少なくとも１つの領域をコア材料層に提供すること、及び、包装容器の底端を形成するように設計された折り目線の第１のセット及び包装容器の主要本体を形成するように設計された折り目線の第２のセットを提供することを含み、その結果、前記少なくとも１つの領域は、それぞれが三角形の断面を有する複数の折り目線の交差点を含み、一方、それぞれが三角形の断面を有し且つ前記交差点を通る仮想延長部を有する折り目線の第１のセットの複数の折り目線は、それらが前記交差点から距離をとって終了するように終端される。
【００２１】
第４の態様によれば、包装材料のコア材料層に折り目線を提供するためのプレスツールのプレートが提供される。プレートは、形成される包装容器の底部コーナーに包装材料を折り曲げるのを補助する折り目線を提供するように構成された少なくとも１つの領域を含む。少なくとも１つの領域は、それぞれが三角形の断面を有する複数の隆起の交差点を含み、一方、それぞれが三角形の断面を有し且つ前記交差点を通る仮想延長部を有する折り目線の第１のセットの複数の隆起は、それらが前記交差点から距離をとって終了するように終端される。
【００２２】
交差点における隆起の全高は、前記交差点から離れた単一の隆起の高さとほぼ同じであり得る。したがって、結果として得られる折り目線の深さは、コーナー領域全体で一定になり、それによって折り曲げ動作は制御しやすくなる。
【００２３】
交差点における隆起の全高は、１〜２ｍｍ、好ましくは１〜１．５ｍｍであり得る。これは、望ましい寸法の折り目線を提供するために有益な高さであることが証明されている。
【００２４】
三角形の隆起の断面は非対称であってもよい。
【００２５】
本発明のさらに他の目的、特徴、態様及び利点は、以下の詳細な記載及び図面から明らかになるであろう。
【００２６】
次に、本発明の実施形態を、添付の概略図を参照して、例として記載する。
【図面の簡単な説明】
【００２７】
【図１】包装材料のチューブから一連の連続した液体食品包装容器を提供するように構成されている充填機の部品の等角図である。
【図２】包装材料から製造される包装容器の等角図である。
【図３】包装容器を形成するために使用される従来技術による包装材料のウェブの上面図である。
【図４ａ】包装容器を形成するために使用される、一実施形態による包装材料のウェブの上面図である。
【図４ｂ】図４ａに示される包装材料の一部の拡大図である。
【図４ｃ】包装容器を形成するために使用される、一実施形態による包装材料のウェブの上面図である。
【図５】コア材料層に折り目線を提供するためのプレスツールの断面図である。
【図６ａ】プレスツール、例えば図５に示すプレスツールのプレートの断面図である。
【図６ｂ】図６ａに示されるプレートの上面図である。
【図７】図４ａ〜４ｃに示されるように、折り目線を包装材料のウェブに押し込んでインプリントする折り目付けツールの拡大断面図である。
【図８】一実施形態による包装材料の断面図であり、三角形のプロファイルを有する折り目線が提供されている。
【図９】一実施形態による包装材料を製造するためのシステムである。
【図１０】一実施形態による包装材料の製造方法の概略図である。
【図１１】欠陥である従来技術のコーナー折り目構成からの包装容器コーナーを示す。
【発明を実施するための形態】
【００２８】
コア材料層を有する包装材料は、大量の製品向けに、コスト効率が高く、環境に優しく、技術的に優れた包装容器を提供するために、多くの異なる用途で使用することができる。液体製品の包装において、例えば液体食品の包装において、カートンベースの包装材料が、寸法的に安定した包装容器を形成するためによく使用される。寸法的に安定した包装容器は、したがって、開封後も自立するように支持される。
【００２９】
本明細書に記載の方法によって製造されるカートンベースの包装材料は、液体の包装に適しているように構成され、一実施形態によれば、その目的に適合した特定の特性を有する。したがって、包装材料は、包装材料から製造された包装容器に剛性及び寸法安定性を提供するための要件を満たすカートンのコア材料層を有する。したがって、通常使用されるカートンは繊維質の板紙である、すなわち、セルロース繊維のネットワーク構造の大部分を有し、適切な密度、剛性、及び湿気への可能性のある暴露に抵抗する能力を備えたファイバーボードである。
【００３０】
他方、段ボール又はハニカム状若しくはセルラー状板紙を含むタイプの非繊維質のセルロースベースのカートンは、いわゆる構造的板紙であり、本発明の目的にはあまり適していない。そのような構造的板紙は、代わりに、通常は折り曲げられ、本発明とは異なるメカニズムによって折り曲げるための脆弱線を備えている。それらは、構造的中間層（例えば、波形、ハニカム状、セルラーフォーム状のもの）が紙層の薄いフランジの間にサンドイッチ状に積層されるＩビーム原理に従って構築される。構造的中間層の不均一な性質により、外側フランジは、制限された領域又は地点でのみそのような構造的中間層に接合され、表面全体にわたって接合されない。
【００３１】
特に、本発明の包装材料及び方法に適用可能な繊維質タイプのコア材料層又はカートン又は板紙は、したがって、均質な繊維層からの繊維質構造であり、これは、有利には、Ｉビーム又はサンドイッチ構造で構成されるが、それぞれの中間層とフランジは、互いに向き合う表面全体で互いに結び付けられている。繊維質バルクに使用できる典型的な繊維は、化学パルプ、ＣＴＭＰ、ＴＭＰ、クラフトパルプなどからのセルロース繊維である。
【００３２】
一実施形態によれば、本発明の目的に適した繊維質バルク層、板紙又はカートンは、３００ｋｇ／ｍ３超（７００ｋｇ／ｍ３超など）の密度、及び、メソッドＩＳＯ２４９３−１及びＳＣＡＮ−Ｐ２９：９５（０．５〜２．０Ｎｍ７／ｋｇ３に相当）に準拠する６．０〜２４．０Ｎｍ６／ｋｇ３の曲げ剛性指数を有する。曲げ剛性指数は、機械方向及び横方向の幾何平均値として計算される。
【００３３】
ここで図１を参照すると、充填機１の部品が示されている。充填機１は以下の原理に従って連続的に且つ高速で動作する：包装材料１００のウェブは前に進められて、包装材料１００の長手方向縁部１０１、１０２が重なり接合部３で互いに結合されることによってチューブ２へと形成される。
【００３４】
チューブ２は、充填パイプ４からの目的の液体食品で充填され、チューブ２内の充填された内容物のレベルより下で、互いに所定の距離で繰り返されるチューブ２の横方向シール５によって個々の包装容器１０に分割される。
【００３５】
包装容器１０は、横方向シール５の切開によって分離され、材料内の準備された折り目線に沿って折り曲げることによって、望ましい幾何学的構成が与えられる。
【００３６】
或いは、同様の包装容器を、積層包装材料の事前にカットされたブランク又はシートから作製することができ、事前にカットされたブランク又はシートは、折り曲げられて、長手方向にシールされて管状カプセルにされ、次いで、第１の端部で折り曲げを形成され、段階的な充填工程において、他端部で充填され、シールされる。
【００３７】
図１の包装プロセスから得られた包装容器１０が、図２にさらに詳細に示されている。ここに示されるように、包装容器１０は、長手方向（長手方向に重なり合うシール領域ＬＳＡによって）及び横方向（上部及び底部の横方向シール領域ＴＳＡによって）の両方で包装材料１００をシールすることによって形成される。包装容器１０は、上端ＴＰ及び底端ＢＰによって閉じられた主要本体ＭＢを有する。包装容器１０はさらに、いくつかのコーナーＰＣ１〜ＰＣ４を備える。示されている例では、底端ＴＰの長方形の形状により、４つのコーナーＰＣ１〜ＰＣ４が存在する。しかしながら、包装容器１０は、包装容器１０の寸法に応じて、別の数のコーナーを有する可能性があることは理解されよう。
【００３８】
本明細書に記載の異なる実施形態をさらに理解するために、図２に示されるような包装容器１０を製造するように設計された包装材料１００の従来技術の例が図３に概略的に示されている。示される包装材料１００は、例えば、図１に示されるタイプの充填機１に供給されるように構成されている。
【００３９】
包装材料１００は、例えば、図１の充填機１に効率的に適合するために巻かれる連続ウェブとして提供され得る。他の用途のために、包装材料１００は、別個のブランクとして、又は、折り目線１３０に沿って折り曲げることによる個々の包装容器１０への最終成形に適している他の任意の構成で提供されてもよい。
【００４０】
包装材料１００の幅は、１つの単一の包装容器１０を形成するために必要とされる寸法に対応する。包装材料１００のウェブは、直列に配置された以下の複数の領域を含む：第１の又は先行する包装容器１０を形成するための第１の領域１１０、それに続く、第２の又は後続の包装容器１０を形成するように意図された第２の領域１２０。第２の領域１２０の後には、容易に理解されるように、第３の領域、第４の領域等（図示せず）が続く。
【００４１】
各領域１１０、１２０には、図３中に実線として示されるそれぞれの折り目線１３０が設けられる。第１の領域１１０の折り目線１３０は、第１の包装容器１０の形状を規定するように設計され、第２の領域１２０の折り目線１３０は、第２の隣接する包装容器１０の形状を規定するように設計される。
【００４２】
第１の領域１１０についてのみ示されているが、１つの領域１１０、１２０の折り目線１３０は、包装容器１０の底端を形成するように設計された折り目線の第１のセット１３２を含み、折り目線の第２のセット１３４は、包装容器１０の主要本体を形成するように設計され、折り目線の第３のセット１３６は包装容器１０の閉じた上端を形成するように設計されている。
【００４３】
図３の数本の折り目線のみが参照番号１３０を備えていることに留意されたい。実際、長手方向縁部１０１、１０２の境界の内側に示されるすべての実線は折り目線を表している。機械方向ＭＤに垂直に延びる２本の破線１４０も存在する。これらは、切断線、すなわち、切断ナイフがシールされた包装容器１０を上流のチューブから分離する場所を示すためのものである。
【００４４】
この地点で、特定のタイプの包装容器１０に折り曲げ方向を提供するために、折り目線１３０を様々な構成で提供し得ることに留意されたい。折り目線１３０は、いわゆる機械方向ＭＤ、すなわち包装材料１００の長手方向（これは通常、直立した成形された包装容器の長手方向又は垂直方向でもある）に配置されるだけではない。他の方向、すなわち、機械方向ＭＤに対して垂直などの非平行の方向に配置されている折り目線１３０もある。本明細書の概念内にある他のシステム及び用途に関して、包装材料の長手方向及び横方向の折り目線は反対方向にある、すなわち、機械方向は長手方向（すなわち、直立した包装容器で見た場合の垂直方向）ではなく横方向に対応する。これは、包装材料の個々のブランクから包装容器を製造する場合に特に一般的であり、その実施形態は同じく本出願の概念内にある。
【００４５】
図３で見られるように、４つの領域Ｃ１〜Ｃ４が提供される。これらの領域Ｃ１〜Ｃ４は、形成される包装容器１０の底部のコーナーＰＣ１〜ＰＣ４を形成するように意図されたそれぞれの位置に配置される。図３で見られるように、各領域Ｃ１〜Ｃ４は、折り目線の第１のセット１３２の少なくとも１つの折り目線１３０ａと、折り目線の第２のセット１３４の長手方向の折り目線１３０ｂとの間の交差部分を形成する。
【００４６】
背景技術の欄で述べたように、特に底部のコーナーの領域で、包装容器の寸法の精度をさらに改善したいという要望がある。本発明者らは、驚くべきことに、これは折り目線の配置を再設計することによって達成できることに気付いた。
【００４７】
上記の問題を解決することに成功したことが証明された包装材料１００の実施形態が図４ａに示されている。包装材料１００は、領域Ｃ１〜Ｃ４の詳細を除いて、図３に示される包装材料１００と同一である。これらの領域の１つＣ１は、図４ｂに拡大されたセクションとして示されている。
【００４８】
図４ａに見られるように、各領域Ｃ１〜Ｃ４は、折り目線の第１のセット１３２の複数の折り目線、すなわち、包装容器１０の底部ＢＰを形成するように意図された複数の折り目線の交差点ＩＸ（図４ｂを参照）を備える。横方向の折り目線ＢＣは、各領域Ｃ１〜Ｃ４を横切って走り、機械方向ＭＤに垂直な方向に延びる。横方向の折り目線ＢＣは、折り目線の第１のセット１３２を折り目線の第２のセット１３４から分離していると見なすことができる。横方向の折り目線ＢＣが折り目線の第１の部分１３２、折り目線の第２の部分１３４又はその両方に属すると見なされるかどうかは重要ではない。
【００４９】
交差点ＩＸは、横方向の折り目線ＢＣが折り目線の第２のセット１３４の長手方向の折り目線ＬＣＢと交わる、したがってＬ字形を形成することによって形成される。折り目線の第２のセット１３４の長手方向の折り目線ＬＣＢは、交差点ＩＸで終端する。図４ｂに見られるように、横方向の折り目線ＢＣも交差点ＩＸで終端し、交差点ＩＸを越えて継続し、その結果、横方向の折り目線ＢＣは、実際には、複数のセグメントＢＣ、ＢＣ’を含み、そのすべては横方向において整列され、各領域Ｃ１が、折り目線の第２のセット１３４のそれぞれの長手方向の折り目線ＬＣＢと交差する横方向の折り目線ＢＣの１つのセグメントのみを有するように分散される。長手方向の折り目線ＬＣＢと交差しない折り目線ＢＣのセグメントはこれ以降ＢＣ’と表記される。
【００５０】
交差点ＩＸを除いて、各領域Ｃ１〜Ｃ４はまた、斜めの折り目線ＤＣ、及び折り目線の第１のセット１３２の長手方向の折り目線ＬＣＣを含む。これらの２つの折り目線ＤＣ、ＬＣＣは、横方向の折り目線ＢＣの別のセグメントＢＣ’と一緒に、交差点ＩＸ内に延びず、図４ｂに示されるように、交差点ＩＸに到達する前に終端する。図４ｂでは、交差点ＩＸと折り目線ＬＣＣ、ＤＣ（並びに横方向セグメントＢＣの終端セグメントＢＣ’）の端部との間の距離は、参照数字Ｄによって示されている。液体食品の典型的な包装容器について、距離Ｄは、１〜１０ｍｍの範囲、例えば１．５〜５ｍｍ、好ましくは１．５〜３ｍｍの範囲であり得る。
【００５１】
本発明者らは驚くべきことに以下のことに気付いた。すなわち、折り目線ＢＣ、ＬＣＢ、ＬＣＣ、及びＤＣが、図４ｂに示すように、交差点ＩＸから距離Ｄで終了するように終端された折り目線ＬＣＣ、ＤＣ、ＢＣ’と組み合わせて、三角形の、好ましくは非対称の断面を備えるときに、包装容器１０のコーナーＰＣ１〜ＰＣ４の改善された形成が達成されることに気付いた。
【００５２】
図４ｂには、折り目線ＢＣ、ＬＣＢ、ＬＣＣ、及びＤＣの非対称構成が示されている。各折り目線ＢＣ、ＬＣＢ、ＬＣＣ、及びＤＣは３本の線で示され、１本の実線は各側に関連する破線を有する。実線は、頂点２２５（図６ａを参照）が包装材料１００に押し込まれた場所を示し、実線と、最も隣接する破線との間の横方向距離は、隆起２２２の急勾配の側２２２ａ（再び図６ａを参照）が包装材料１００に押し込まれた場所を示す。実線と、隣接性で劣る破線との間の横方向距離は、結果として、隆起２２２の急勾配性で劣る側２２２ｂ（図６ａ）が包装材料に押し込まれた場所を示す。
【００５３】
好ましくは、非対称折り目線ＢＣ、ＬＣＢ、ＬＣＣ、及びＤＣの向きは、以下に従う。ＬＣＢ及びＢＣは、それぞれの急勾配の側が、斜めの折り目線ＤＣが配置される交差点ＩＸの側に面するように両方とも整列される。この斜めの折り目線ＤＣは、次に、急勾配の側が長手方向に下向きに、すなわち長手方向の折り目線ＬＣＣに面するように向けられる。長手方向の折り目線ＬＣＣは、長手方向の折り目線ＬＣＢと同じ方向に向けられている、すなわち、折り目線ＬＣＣの急勾配の側は、斜めの折り目線ＤＣに面している。
【００５４】
示されている例では、包装容器１０の結果として生じる底端ＢＰは長方形であり、これは、４つのそれぞれの領域Ｃ１〜Ｃ４によって形成される４つのコーナーＰＣ１〜ＰＣ４が存在することを意味する。各領域Ｃ１〜Ｃ４は、複数の折り目線ＬＣＢ、ＢＣの交差点ＩＸを含み、追加の折り目線ＬＣＣ、ＤＣ、ＢＣ’は、それらが前記交差点ＩＸから距離Ｄで終了するように終端される。これにより、すべての領域Ｃ１〜Ｃ４は、交差点ＩＸに到達する前に折り目線ＬＣＣ、ＤＣ、ＢＣ’を中断するという点で同様の方法で構成される。
【００５５】
しかしながら、いくつかの実施形態では、すべての領域Ｃ１〜Ｃ４でこの構成を有する必要はないことに留意されたい。代わりに、コーナー領域Ｃ１〜Ｃ４のうちの１つ又は複数のみを図４ｂを参照して上に記載したように構成することができる。例えば、２つの後部コーナーＰＣ１、ＰＣ４のみが、終端された折り目線ＢＣ’、ＤＣ、ＬＣＣとともに設計されたコーナー領域Ｃ１、Ｃ４の折り曲げによって形成される場合、コーナーの形状の大幅な改善を提案する試験が実行された。そのような実施形態では、２つの前部コーナーＰＣ２、ＰＣ３は、先行技術の設計に従って構成され得る領域Ｃ２〜Ｃ３の折り曲げによって形成され得る。本明細書の範囲では、領域Ｃ１〜Ｃ４の少なくとも１つが図４ｂを参照して記載されたものに従って構成されている場合、底部コーナーの折り曲げの利点が存在する。
【００５６】
典型的な後部底部コーナーの欠陥のある包装容器を図１２に示す。コーナーは直方体の頂点として成形されず、へこみとこぶがあり、包装容器の外観を損なっている。底部コーナーがへこんで座屈しているため、立っている包装容器の安定性が損なわれる可能性がある。この欠陥は、本発明のコーナー折り目構成によって低減され、さらには完全に回避される。
【００５７】
図４ａでは、包装材料１００は、例えばテトラ・ブリック（登録商標）包装容器として成形された長方形の形状の包装容器１０を形成するために折り目線１３０を備えている。図４ｃには、包装材料１００の別の例が示され、折り目線の第３のセット１３６は、例えば、テトラ・ブリック（登録商標）アセプティック・エッジ包装容器に対応する傾斜した上部を提供するように構成される。また、そのような包装容器の場合、底部コーナー領域Ｃ１〜Ｃ４は、図４ａ〜ｂの記載に従って構成することができる。しかしながら、テトラ・ブリック（登録商標）アセプティック・エッジ包装容器の場合、上の記載に従って後部底部コーナー領域Ｃ１、Ｃ４のみを提供し、前部コーナー領域Ｃ２、Ｃ３には従来の折り目線パターンを提供することが有利な場合がある。
【００５８】
次に、図５に目を向けると、折り目線１３０、ＢＣ、ＬＣＢ、ＬＣＣ、ＤＣを、後で形成される包装材料１００のコア材料層１４０に提供するためのシステム２００の例が示されている。好ましくは、システム２００は、プレスツールローラの形態の折り目線プレスツール２１０と、アンビルローラの形態のアンビル２１２とを備える。ローラ２１０、２１２の少なくとも１つは、コア材料層１４０がローラ２１０、２１２の間に形成されたニップ２１６に供給され、通過できるように駆動される。図５に示されるように、コア材料層１４０は、この実施形態では好ましくはウェブとして提供することができ、したがって、システム２００の連続動作を可能にする。
【００５９】
プレスツール２１０は、プレスツールローラ２１０の外周の少なくとも一部を覆うプレート２２０を備えている。プレート２２０は、例えば、ローラ２１０の円筒形に適合させるために湾曲させることができる金属体であり得る、又はプレート２２０は、ローラ２１０の外殻を一緒に形成する複数の湾曲したセグメントによって形成することができる。
【００６０】
プレート２２０は、法線方向、すなわちアンビルローラ２１２に向かって半径方向外向きに延びる少なくとも１つの突出した隆起２２２（例えば、図６ａを参照）を含む。
【００６１】
アンビル２１２は、ゴム又はエラストマー特性を有するポリマーを含む材料組成物など、可逆的に変形可能な弾性材料の外層２１３を有するローラを形成する。好ましくは、弾性材料は、ローラ２１２の表面全体を覆い、折り目が付けられるコア材料層１４０と接触する。弾性材料は、例えば、厚さが約２〜５０ｍｍで、硬度が７０ショアＡ〜８０ショアＤ、例えば６０ショアＤ又は９５ショアＡのゴム状の材料であってもよい。
【００６２】
好ましくは、プレスツールローラ２１０の直径は、アンビルローラ２１２の直径と同じではない。図５に示されるように、アンビルローラ２１２は、プレスツールローラ２１０よりも小さい直径を有するが、アンビルローラ２１２は、いくつかの実施形態では、プレスツールローラ２１０よりも大きな直径を有してもよい。ローラ２１０、２１２の異なる直径を提供することにより、プレスツールプレート２２０の隆起２２２は、動作中にアンビルローラ２１２の同じ位置に影響を及ぼさず、それにより、アンビルローラ２１２の向上した耐久性が保証される。したがって、最も好ましい実施形態では、ローラ２１０、２１２の一方の直径は、他方のローラ２１０、２１２の直径とは異なり、同様に他方のローラの円周のいずれの倍数とも異なることが理解される。
【００６３】
図６ａは、ベース部分２２３、インプリント部分２２４、及び頂点２２５を有する、隆起２２２の構成の実施形態を示す。プレート２２０は、少なくとも２つの離間した隆起２２２を含み、各隆起は、コア材料層１４０に折り目線１３０を提供するのに適した長手方向の構造を形成するように延びる。各隆起２２２の断面は三角形であり、それにより、ベース部分２２３は、隆起２２２の下部によって、すなわち、プレート２２０の平面に隣接して配置されている部分によって形成される。インプリント部分２２４、すなわち、折り目付け中にコア材料層１４０と接触している隆起２２２の部分は、ベース部分２２３から頂点２２５まで延びる。
【００６４】
示されている隆起２２２は、急勾配の側２２２ａと急勾配性で劣る側２２２ｂとを有する。それらの側２２２ａ、２２２ｂは頂点２２５で交わる。これは、図６ａにも示されているように、急勾配の側２２２ａとプレート２２０の平面との間の角度α１が、急勾配性で劣る側２２２ｂとプレート２２０の同じ平面との間の角度α２よりも大きいことを意味する。その結果、材料の弾力性のために目立たなくなるが、結果として得られる折り目線の片側は、同じ折り目線の反対側よりも急な勾配になる。
【００６５】
図６ｂには、プレート２２０の上面図が示されている。プレート２２０は、コア材料層１４０に折り目線１３０を提供するように構成された多数の隆起２２２を含む。しかしながら、隆起のいくつかＰＢＣ、ＰＬＣＢ、ＰＬＣＣ、ＰＤＣは、前述のように、包装容器１０のコーナーＰＣ１〜ＰＣ４の形成を補助するように意図された領域Ｃ１〜Ｃ４の折り目線ＢＣ、ＬＣＢ、ＬＣＣ、ＤＣを提供するように構成されている。
【００６６】
これらの隆起ＰＢＣ、ＰＬＣＢ、ＰＬＣＣ、ＰＤＣは、三角形の、好ましくは非対称の断面を備え、それらはそれぞれの領域Ｐ１〜Ｐ４に配置され、それにより、プレート２２０を使用する折り目付け操作が、特に図４ｂを参照して前に記載したように、領域Ｃ１〜Ｃ４を有する包装材料１００をもたらすようにする。したがって、図６ｂの隆起ＰＢＣ、ＰＬＣＢ、ＰＬＣＣ、ＰＤＣの配置は、図４ａに示す折り目線の配置に対応する。
【００６７】
隆起が三角形で対称である場合、急勾配の側２２２ａの角度及び寸法は、急勾配性で劣る側２２２ｂの角度及び寸法と本質的に同一であろう。
【００６８】
折り目付けシステム２００の動作が、図７にさらに詳細に示されている。ここでは、折り目線ＢＣ、ＬＣＢ、ＬＣＣ、ＤＣのいずれかなどの折り目線の形成プロセスの断面図が概略的に示されている。
【００６９】
三角形の折り目線ＢＣ、ＬＣＢ、ＬＣＣ、ＤＣを包装材料層１４０に提供するこの方法は、コア材料層１４０において、インプリント部分２２４の急勾配性で劣る側２２２ｂの位置に対応する位置で、せん断破壊開始の１つの重要なゾーンを作り出す。
【００７０】
プレスツール２１０を作動することにより、加えられた力は、プレート２２０に面する包装材料層１４０の側から方向付けられた応力を引き起こす。
【００７１】
折り目線ＢＣ、ＬＣＢ、ＬＣＣ、ＤＣは、通常、折り目が付けられていない材料と比較して、インプリント又はエンボス加工されたコア材料層１４０の厚さを約５％〜約２５％、例えば約１０〜約２５％減少させる。
【００７２】
折り目付けされた包装材料１００の例を図８に示す。この例では、コア材料層１４０は、外層１４２及び内層１４４によって積層されている。外層１４２及び内層１４４は、多層構造として提供することができ、図８に示すように、内層１４４は、内部積層層１４５、中間バリア層１４６、及び包装材料から作られた包装容器に含まれる充填された製品と接触する最も内側の層１４７によって形成される。包装材料は、好ましくは、材料の外側から、すなわち外層１４２が設けられた側で、折り目線によってインプリントされる。
【００７３】
折り目付け作業を実行する前又は後に、任意の熱可塑性材料又はポリマーをコア層にコーティング又は積層することができる。したがって、包装材料の折り目付けに言及する場合、包装材料という用語は、コア層単独の折り目付け及びその後さらなる層を積層して積層包装材料にすること、並びにコア層を含む既に（部分的又は完全に）積層された構造の折り目付けを含む。この汎用性は、本明細書に記載されているすべての実施形態に有効である。
【００７４】
外層１４２は、ヒートシール可能な熱可塑性ポリマーの最も外側の液密コーティングによって形成することができる。熱可塑性ポリマーは、例えば、ポリエチレン（ＰＥ）又はポリプロピレン（ＰＰ）などのポリオレフィン、例えば低密度ポリエチレン（ＬＤＰＥ）、又はＬＤＰＥと線状低密度ポリエチレンとのブレンドであってもよい。
【００７５】
包装材料１００に、主にガス、特に酸素に対するバリア特性を提供するために、包装材料は、そのようなバリア特性を提供し、好ましくは低密度ポリエチレン（ＬＤＰＥ）の内部積層層１４５積層層によってコア材料層１４０層に結合される材料の少なくとも１つのさらなる層１４６をさらに有する。
【００７６】
中間バリア層１４６の材料の例は、固有のバリア特性を有するポリマー、例えば、エチレンとビニルアルコールのコポリマー（ＥＶＯＨ）又はポリアミド（ＰＡ）を含む層又はフィルムであり得るか、或いは液体−フィルムコーテッド層若しくは真空堆積層若しくは蒸着層又は対応するバリア特性を有するコーティングでコーティングされた予備作製されたフィルムであり得る。この種のコーティングされた予備作製されたフィルムの一般的な例は、金属化層又はプラズマ強化蒸着によってコーティングされた層でコーティングされたポリエステル、例えば、ポリエチレンテレフタレート（ＰＥＴ）の、又はポリプロピレン（ＰＰ）の配向フィルムである。ガス、特に酸素に対する優れたバリア特性を有することに加えて、包装材料１００を誘導シール形成（これは迅速、簡単且つ効果的なヒートシール技術である）によってヒートシールすることを可能にする有利な特性を有するアルミホイルが一般的に使用される。
【００７７】
包装材料１００を製造するためのシステム３００の例を図９に示す。システム３００は、保管リール３１２から巻き戻されるコア材料１４０の供給部３１０と、対応する保管リール３２２から巻き戻される中間バリア層１４６の供給部３２０とを含む。２つのウェブ１４０、１４６は互いに一緒にされ、両方とも２つの隣接する回転可能なシリンダ３３２、３３４の間の積層ニップ３５０を通して案内され、同時に積層材料３４２の供給部３４０は、通常、内部積層層１４５を形成する低密度ポリエチレン（ＬＤＰＥ）を含み、中間バリア層１４６をコア材料層１４０に恒久的に結合するために、ウェブ１４０、１４６の間に適用される。
【００７８】
この紙又は板紙ウェブは、通常は低密度ポリエチレン（ＬＤＰＥ）を含むポリエチレンなどのポリマーの液密コーティングを両側にその後（図示せず）提供され、外層１４２及び内側の最内層１４７を形成し、次いで、その後の輸送と取り扱いのために完成した包装リールに巻き取られる。
【００７９】
コア材料層１４０に三角形の、好ましくは非対称の折り目線１３０を使用することにより、包装材料の堅牢性を低下させることなく、したがって敏感な領域で材料の損傷の危険を冒すことなく、いくつかの積層層の厚さを減らすことが可能である。折り目線の第１の側が第２の側よりも急勾配のインプリント壁を有するように、三角形の断面を有する非対称の折り目線の場合、コア材料層をポリマーのさらなる層に積層するステップにおいて、コア材料は、好ましくは、折り目線が最初にそれらの第２の側で積層ニップに入るように積層ローラニップに供給されることが証明されている。積層中に非対称の折り目線の使用を明確に決定された送り方向と組み合わせることで、欠陥のリスクを軽減し、それにより積層の速度と品質を向上させることができる。
【００８０】
ここで、図１０に目を向けると、包装材料１００を製造するための方法４００が概略的に示されている。方法４００は、包装材料１００を形成される包装容器１０の底端コーナーＰＣ１〜ＰＣ４に折り曲げるのを補助するように構成された少なくとも１つの領域Ｃ１〜Ｃ４を有するコア材料層１４０又はプラスチックでコーティング若しくは積層された包装材料１００を提供する第１のステップ４０２と、包装容器１０の底端ＴＰを形成するように設計された折り目線の第１のセット１３２、及び包装容器１０の主要本体を形成するように設計された折り目線の第２のセット１３４を提供する第２のステップ４０４とを含む。ステップ４０２及び４０４は、前記少なくとも１つの領域Ｃ１〜Ｃ４が、それぞれが三角形の、好ましくは非対称の断面を有する複数の折り目線ＢＣ、ＬＣＢの交差点ＩＸを含む一方、それぞれが三角形の、好ましくは非対称の断面を有し、前記交差点ＩＸを通る仮想延長部を有する折り目線の第１のセット１３４の複数の折り目線ＬＣＣ、ＤＣ、ＢＣ’が、それらが前記交差点ＩＸから距離Ｄで終了するように終端されるように実行される。
【００８１】
コア材料層は、折り目付け作業の前又は後に、さらなる材料層に積層される。
【００８２】
本発明の様々な実施形態を記載し示してきたが、本発明はそれに限定されず、以下の特許請求の範囲で定義される主題の範囲内で他の方法で具現化することもできることが上記の記載から明らかであろう。
【図１】
2021531214.tif 000003
【図２】
2021531214.tif 000004
【図３】
2021531214.tif 000005
【図４ａ】
2021531214.tif 000006
【図４ｂ】
2021531214.tif 000007
【図４ｃ】
2021531214.tif 000008
【図５】
2021531214.tif 000009
【図６ａ】
2021531214.tif 000010
【図６ｂ】
2021531214.tif 000011
【図７】
2021531214.tif 000012
【図８】
2021531214.tif 000013
【図９】
2021531214.tif 000014
【図１０】
2021531214.tif 000015
【図１１】
2021531214.tif 000016
【国際調査報告】
2021531214.tif 000017
2021531214.tif 000018
2021531214.tif 000019